(57)【要約】【課題】本考案は、ピアノを弾く様に誰でもが簡単に操作できる鍵盤状の操作部分とそれによって操作されるマリオネット装置を提供することである。【解決手段】本考案は、首と左手と左足と胴体と右腕と右足から構成されるあやつり人形と、当該人形の首と左手と左足と右腕と右足等の各部位には操作のための糸またはピアノ線が接続され、それぞれの糸またはピアノ線は支点によって回転する棒の端に接続され、その棒の他方の端は操作のための各部位に対応した鍵盤にそれぞれ糸またはピアノ線で接続された構成をとり、前記鍵盤の何れかが押された時に、鍵盤の端の移動距離の変化分が前記棒状の端に作用して前記人形の鍵盤に対応した部位の何れかが上に移動する様にしたことを特徴とする、鍵盤操作マリオネット装置。【選択図面】  図２
0003111176.tif 000002
【実用新案登録請求の範囲】
【請求項１】
首と左手と左足と胴体と右腕と右足から構成されるあやつり人形と、当該人形の首や左手や左足や右腕や右足等の各部位に対応したそれぞれ操作用の鍵盤と、当該鍵盤が押された時にその移動距離に応じて前記あやつり人形のそれぞれの鍵盤に対応した各部位を上げる様に糸または金属線で制御する仕組みとを備え、前記鍵盤の操作により人形の首か左手か左足か右腕か右足の何れかを上げ下げ等制御出来ることを特徴とする鍵盤操作マリオネット装置。
【考案の詳細な説明】
【技術分野】
【０００１】本考案は糸によって操作される操り人形に関するものである。
【背景技術】
【０００２】糸によって手や足を操作する所謂マリオネットは、右手や右足や首や左手や左足は適当な長さの糸で板状の操作部分に接続され、その操作部分を傾けたり上げたり下げたりするだけの単純な仕組みで提供されていた。
【考案の開示】
【考案が解決しようとする課題】
【０００３】従来からある所謂マリオネットは、右手や右足や首や左手や左足は適当な長さの糸で板状の操作部分に接続され、その操作部分を傾けたり上げたり下げたりするだけの単純な仕組みで提供されていた。そのために、人形をあやつることはかなりの熟練を要すことや人形が複雑な動きが出来ない等の大きな欠点を持っていた。
本考案は、ピアノを弾く様に誰でもが簡単に操作できる鍵盤状の操作部分とそれによって操作される複雑な動きを可能としたマリオネット装置を提供することである。
【課題を解決する手段】
【０００４】本考案は、首と左手と左足と胴体と右腕と右足から構成されるあやつり人形と、当該人形の首と左手と左足と右腕と右足には操作のための糸またはピアノ線が接続され、それぞれの糸またはピアノ線は支点によって回転する棒の端に接続され、その棒の他方の端は首と左手と左足と右腕と右足に対応した操作のための鍵盤にそれぞれ糸またはピアノ線で接続された構成をとり、前記鍵盤の何れかが押された時に、鍵盤の端の移動距離の変化分が前記棒の端に作用して前記人形の鍵盤に対応した首か左手か左足か右腕か右足の何れかが上に移動する様にしたことを特徴とする、鍵盤操作マリオネット装置である。
【考案の効果】
【０００５】前述した様に、従来の熟練した操作を要さずに単純な鍵盤の押し下げ操作により誰でもが簡単に人形の首や左手や左足や右腕や右足を上下させることが可能となり、簡単なマリオネット操作を提供している。
【考案を実施するための最良の形態】
【０００６】マリオネットの首や左手や左足や右腕や右足に対応した鍵盤様の操作部分とマリオネットの首や左手や左足や右腕や右足に接続された糸またはピアノ線の他方の端を前記鍵盤によって上下に変化する棒の一端に接続し、その棒の他の端は前記鍵盤様の操作部分が押された時に上下に変化する様にそれぞれ接続された構成をとり、操作部分が押された時にマリオネットの首や左手や左足や右腕や右足のいずれかが上下して、熟練した操作を必要としないマリオネット装置を提供する。
【実施例】
【０００７】  図１は従来からある操り人形所謂マリオネットを示すもので、１は操作部分、２は人形の左手操作用糸、３は人形の左手を示す。同様に、人形の右足と左足と左手も糸で操作部分１に糸で接続されている。ここで操作している人（以降演者という）が右腕を上げようと意図した場合は、１の操作部分の右腕が接続された端を上に持ち上げると右手は接続されている糸に引っ張られて上に移動する。しかしながらここで他の部分（右足と左足と左手）を動かさない様にするためには極力他の部分が接続された操作部分の端は動かさない様にする必要がある。またこの様な仕組みでは右手と左手を同時に上げることや、例えば音楽に合わせて演者が単純に手を足を上げ下げすること自体もかなりの熟練を要することは明らかである。【０００８】図２は本考案装置の１実施例で正面から見た図である。
人形マリオネット３６は左手と左足と首と右手と右足がそれぞれ上下に動作可能な様に胴体に接続されている。  鍵盤２１は左足操作用、鍵盤２２は左手操作用、鍵盤２３は首操作用、鍵盤２４は右手操作用、鍵盤２５は右足操作用として配置され、それぞれの鍵盤は本考案装置の筐体３９に固定された軸３７を支点とする様に取り付けられている。操作棒３１は前記人形の左足と糸２６で、操作棒３２は前記人形左手と糸２７で、操作棒３３は前記人形首と糸２８で、操作棒３４は右手と糸２９で、操作棒３５は右足と糸３５でそれぞれ接続されている。３１から３５の各操作棒は本考案装置の筐体３９に固定された軸３８を支点とする様に取り付けられている。【０００９】図３は本考案装置を上から見た図で、図４は本考案装置を横からみた図である。
鍵盤２１は左足操作棒３１と糸またはピアノ線４０で接続されており、鍵盤２２から鍵盤２６もそれぞれ左手、首、右手、右足とそれぞれピアノ線または糸４１から４４で接続されている。糸案内用の軸４５と４６は本考案装置の筐体３９に固定され、前記糸４０から４４が円滑に移動できる様にするためのものである【００１０】図５は考案装置の動作原理図で横から見た図、同様に図６は正面から見た図である。
演者が右手を上げようと意図した時の動作原理を以下説明する。
演者は前記目的のためには鍵盤２４を下に押し下げる。すると鍵盤２４他の端は軸３７を支点として糸４３を引き上げる方向に移動する。
糸４３は案内軸４１および案内軸４２に沿って移動し、操作棒３４の端を引き下げる様働く。
操作棒３４は軸３８を支点として他の端を上げる様に回転し、人形３６の右手が上げることとなる。【００１１】演者が鍵盤２４を押し下げるのをやめると、人形の右手の自重により操作棒３４を下げ、鍵盤３４の他の端が糸４３を引き鍵盤２４が元の位置に戻り初期の状態となる。
同様に左手や左足や首や右足も演者の意図に沿って操作される。
以上説明した様に、本考案装置によれば演者の意図に沿って容易に人形３６の右手、右足、首、左手、左足を上げ下げすることが実現できることは明らかである。【００１２】図７は他の実施例で、人形の左手や左足や首や右手や右足を演者の意図にそって電気仕掛けで操作する原理図を横からみたものを示す。前記説明と同様に右手を上げる操作について説明する。
鍵盤２４は演者が右手を上げようと意図した時に押下げられ、本考案装置の筺体に固定された軸３７を支点として下方向に動き、電気接点５１を通電する様に働く。電気接点５１は直流電源５２と直流モータ５３とで閉回路を形成し、電気接点５１が鍵盤２４の押下げにより閉じた時に直流モータ５３を回転させる。このモータ５３の回転はカム５４を所定の力で回転させ、操作棒３４の一方の端を押下げる様に作用する。操作棒３４の他の一方の端には前述の実施例と同様に人形３６の右手と糸で接続されている。
また操作棒３４は本考案装置の筺体に固定された操作棒停止軸６０の作用で通常は水平状態を維持している。【００１３】図８は直流モータ５３とカム５４の機械的接続を示したもので横から見た原理図を示す。同様に図９は上から見た原理図をそれぞれ示す。
直流モータ５３が前述の様に通電されると反時計方向にモータ５３の軸が回転しピニオンギア５５を介してギア５６にその力は伝達され、ギア５５に固定されたカム５４は軸５０を支点として反時計方向に回転することとなる。【００１４】図１０はカム５３が操作棒３４の端を押下げた時を示したもので、演者が鍵盤２４を押下げると、電気接点５１がその作用により閉じられる。
電気接点５１と直流電源５２と直流モータ５３で閉回路を形成し直流モータ５３に通電されモータ軸は反時計方向に回転する。するとカム５４が反時計方向に回転し操作棒３４の端を押下げ、支点３８を中心に操作棒３４の端が上に移動し、糸２９と接続された人形３６の右手を引き上げる。
図１１は右手が上がった時を正面から見た図である。【００１５】モータ５３およびカム５４の回転が進んでカム５４が操作棒３４から離れると、操作棒３４は自由状態になり人形３６の右手の自重で停止軸６０の位置まで下がり初期状態となる。【００１６】以上の様に人形３６の右手を上げる操作を説明したが、本考案によれば、人形３６の首や右足や左手や左足についても鍵盤状の操作部で演者に意図に沿って容易に操作が可能であることや、電気機構を採用することで本考案装置の大きさについてもなんら制限の無いことが明らかである。
【産業上の利用可能性】
【００１７】本考案は操作に難しいマリオネットを容易に操作できる様にして、玩具やアミューズメント機器への応用を実現するものである。
【図面の簡単な説明】
【００１８】
【図１】従来からあるマリオネット
【図２】本考案の実施例で正面から見た図
【図３】本考案の実施例で上から見た図
【図４】本考案の実施例で横からみた構造図
【図５】本考案の横から見た動作原理図
【図６】本考案の正面から見た動作原理図
【図７】本考案の他の実施例で横からみた原理図
【図８】横から見たモータとカムの機械的動作原理図
【図９】上から見たモータとカムの機械的動作原理図
【図１０】本考案の横から見た動作原理図
【図１１】本考案の正面から見た動作原理図
【符号の説明】
【００１９】１  従来技術によるマリオネットの操作部
２  人形の左手操作糸
３  人形の左手
２１  人形の左足操作用の鍵盤
２２  人形の左手操作用の鍵盤
２３  人形の首操作用の鍵盤
２４  人形の右手操作用の鍵盤
２５  人形の右足操作用の鍵盤
２６  人形の左足操作用の糸
２７  人形の左手操作用の糸
２８  人形の首操作用の糸
２９  人形の右手操作用の糸
３０  人形の右足操作用の糸
３１  人形の左足引上げ用操作棒
３２  人形の左手引上げ用操作棒
３３  人形の首引上げ用操作棒
３４  人形の右手引上げ用操作棒
３５  人形の右足引上げ用操作棒
３６  人形本体
３７  鍵盤支点のための本体枠に固定された軸
３８  操作棒支点のための本体枠に固定された軸
３９  本考案装置の筐体
４０  鍵盤の動きを左足引上げ用操作棒に伝達する糸
４１  鍵盤の動きを左手引上げ用操作棒に伝達する糸
４２  鍵盤の動きを首引上げ用操作棒に伝達する糸
４３  鍵盤の動きを右手引上げ用操作棒に伝達する糸
４４  鍵盤の動きを右足引上げ用操作棒に伝達する糸
４５  糸の案内用軸
４６  糸の案内用軸
５０  カムの支点用の軸
５１  電気接点
５２  直流電源
５３  直流モータ
５４  カム
５５  ピニオンギア
５６  ギア
６０  操作棒停止用軸
【図１】
0003111176.tif 000003
【図２】
0003111176.tif 000004
【図３】
0003111176.tif 000005
【図４】
0003111176.tif 000006
【図５】
0003111176.tif 000007
【図６】
0003111176.tif 000008
【図７】
0003111176.tif 000009
【図８】
0003111176.tif 000010
【図９】
0003111176.tif 000011
【図１０】
0003111176.tif 000012
【図１１】
0003111176.tif 000013